(57)【特許請求の範囲】
【請求項１】
無線端末および撮像装置に通信可能に接続され、前記撮像装置が撮影する画像を前記無線端末に配信する画像配信装置であって、
前記撮像装置が設置されている拠点のアドレスである拠点データを記憶する拠点データ記憶手段と、
前記無線端末から、前記撮像装置が撮影する画像の配信を要求した拠点を特定できるアドレスを含んだ画像配信要求を受け付ける受付手段と、
前記画像配信要求を受け付けた無線端末に、前記画像配信装置からの画像取得要求を受けた撮像装置から取得した画像を配信する画像配信手段と、
前記受け付けた拠点を特定できるアドレスと、前記拠点データに記憶する拠点アドレスに従って、前記画像配信要求を受け付けた無線端末に前記画像配信装置からの画像取得要求を受けた撮像装置から取得した画像を配信するかいなかを判断する判断手段と、
前記判断手段が前記画像を配信しないと判断した場合には、前記画像配信要求を受け付けた無線端末に、前記画像配信要求を受け付けた無線端末からの画像取得要求を受けた撮像装置から取得した画像の表示が可能な情報を送信する画像表示情報送信手段と、
を備えることを特徴とする画像配信装置。
【請求項２】
画像表示情報送信手段は前記表示が可能な情報を送信するとともに、前記画像配信要求を受け付けた無線端末に、前記表示が可能な情報に基づいて撮像装置から取得した画像を所定の位置に配置するフレームを送信するフレーム送信手段をさらに備えることを特徴とする請求項１に記載の画像配信装置。
【請求項３】
複数の撮像装置と当該複数の撮像装置それぞれが設置されている拠点のアドレスを対応づけたグループデータを記憶するグループデータ記憶手段と、
前記無線端末から、複数の撮像装置が撮影する複数画像の配信要求を受け付ける複数画像受付手段と、
前記受付手段が受け付けた拠点を特定できるアドレスと、前記グループデータに記憶されている拠点アドレスに従って、前記複数画像の配信要求を受け付けた無線端末に配信する複数画像の中に、前記画像配信装置からの画像取得要求を受けた撮像装置から取得する画像があるかいなかを判断する複数拠点判断手段と、
をさらに備え、
前記画像表示情報送信手段はさらに、前記複数拠点判断手段により取得する画像があると判断した場合には、前記複数画像の配信要求を受け付けた無線端末に、前記複数画像の配信要求を受け付けた無線端末からの画像取得要求を受けた撮像装置から取得した画像の表示が可能な情報を送信することを特徴とする請求項１または請求項２に記載の画像配信装置。
【請求項４】
前記画像配信要求を受け付けた無線端末が受信する前記表示が可能な情報には、画像を直接取得するべく、前記画像取得要求をする撮像装置が設置されている拠点のアドレスが含まれていることを特徴とする請求項１乃至請求項３のいずれか１項に記載の画像配信装置。
【請求項５】
前記画像配信要求を受け付けた無線端末が受信する前記表示が可能な情報には、画像を直接取得するべく、前記画像取得要求をする撮像装置のローカルＩＰアドレスが含まれていることを特徴とする請求項１乃至請求項４のいずれか１項に記載の画像配信装置。
【請求項６】
前記前記撮像装置が撮影する画像の配信を要求した拠点を特定できるアドレスは、前記画像配信要求を前記画像配信装置に中継する場合に取得されるルータ装置のネットワークアドレスであることを特徴とする請求項１乃至請求項５のいずれか１項に記載の画像配信装置。
【請求項７】
前記受付手段が受け付ける画像配信要求は無線端末に画像を配信する撮像装置を特定する情報をさらに含んでいることを特徴とする請求項１乃至請求項６のいずれか１項に記載の画像配信装置。
【請求項８】
無線端末および撮像装置に通信可能に接続され、前記撮像装置が撮影する画像を前記無線端末に配信する画像配信装置であって、
前記撮像装置が設置されている拠点のアドレスである拠点データを記憶する拠点データ記憶手段と、
前記無線端末から、前記撮像装置が撮影する画像の配信を要求した拠点を特定できるアドレスを含んだ画像配信要求を受け付ける受付手段と、
前記画像配信要求を受け付けた無線端末に、前記画像配信装置を介して撮像装置から取得した画像を配信する画像配信手段と、
前記受け付けた拠点を特定できるアドレスと、前記拠点データに記憶する拠点アドレスに従って、前記画像配信要求を受け付けた無線端末に前記画像配信装置を介して撮像装置から取得した画像を配信するかいなかを判断する判断手段と、
前記判断手段が前記配信しないと判断した場合には、前記画像配信要求を受け付けた無線端末に、前記画像配信装置を介さずに撮像装置から取得した画像の表示が可能な情報を送信する画像表示情報送信手段と、
を備えることを特徴とする画像配信装置。
【請求項９】
無線端末および撮像装置に通信可能に接続され、前記撮像装置が撮影する画像を前記無線端末に配信する、前記撮像装置が設置されている拠点のアドレスである拠点データを記憶する拠点データ記憶手段を備える画像配信装置の制御方法であって、
前記画像配信装置の受付手段が、前記無線端末から、前記撮像装置が撮影する画像の配信を要求した拠点を特定できるアドレスを含んだ画像配信要求を受け付ける受付工程と、
前記画像配信装置の画像配信手段が、前記画像配信要求を受け付けた無線端末に、前記画像配信装置からの画像取得要求を受けた撮像装置から取得した画像を配信する画像配信工程と、
前記画像配信装置の判断手段が、前記受け付けた拠点を特定できるアドレスと、前記拠点データに記憶する拠点アドレスに従って、前記画像配信要求を受け付けた無線端末に前記画像配信装置からの画像取得要求を受けた撮像装置から取得した画像を配信するかいなかを判断する判断工程と、
前記画像配信装置の画像表示情報送信手段が、前記判断工程が前記画像を配信しないと判断した場合には、前記画像配信要求を受け付けた無線端末に、前記画像配信要求を受け付けた無線端末からの画像取得要求を受けた撮像装置から取得した画像の表示が可能な情報を送信する画像表示情報送信工程と、
を含むことを特徴とする制御方法。
【請求項１０】
無線端末および撮像装置に通信可能に接続され、前記撮像装置が撮影する画像を前記無線端末に配信する、前記撮像装置が設置されている拠点のアドレスである拠点データを記憶する拠点データ記憶手段を備える画像配信装置で読み取り実行可能なプログラムであって、
前記画像配信装置を、
前記無線端末から、前記撮像装置が撮影する画像の配信を要求した拠点を特定できるアドレスを含んだ画像配信要求を受け付ける受付手段と、
前記画像配信要求を受け付けた無線端末に、前記画像配信装置からの画像取得要求を受けた撮像装置から取得した画像を配信する画像配信手段と、
前記受け付けた拠点を特定できるアドレスと、前記拠点データに記憶する拠点アドレスに従って、前記画像配信要求を受け付けた無線端末に前記画像配信装置からの画像取得要求を受けた撮像装置から取得した画像を配信するかいなかを判断する判断手段と、
前記判断手段が前記画像を配信しないと判断した場合には、前記画像配信要求を受け付けた無線端末に、前記画像配信要求を受け付けた無線端末からの画像取得要求を受けた撮像装置から取得した画像の表示が可能な情報を送信する画像表示情報送信手段と、
して機能させることを特徴とするプログラム。
【発明の詳細な説明】
【技術分野】
【０００１】
画像配信装置及び制御方法とプログラムに関する。
【背景技術】
【０００２】
近年、カメラ画像配信サービスといったＷＥＢサイトでは監視カメラにより撮影された画像をＷＥＢサーバが管理し、端末のＷＥＢブラウザを介して配信している。携帯電話のＷＥＢブラウザからもこのようなＷＥＢサイトを閲覧することが可能となった。
監視カメラと無線通信端末が通信する技術としては以下のような技術が開示されている。
【０００３】
先行文献１においては、公衆無線通信回線を使用すると通信料金がかかるので、無線通信端末が所定の位置にいることを検出して、監視カメラと無線通信端末が近距離無線通信にて所定の時間動作するように制御する技術が開示されている。
監視カメラに接続された複数の画像配信装置同士が通信する技術としては以下のような技術が開示されている。
【０００４】
先行文献２においては、異なる管理所における同じ名称の監視カメラを識別するために、画像配信サーバが配信要求パケットのヘッダからネットワークアドレスを検出し、画像配信サーバに割り当てられたネットワークアドレスと同じネットワークアドレスか他の管理所のネットワークアドレスであるかを判定する技術が開示されている。
【先行技術文献】
【特許文献】
【０００５】
【特許文献１】特開２００４−２００９９８号公報
【特許文献２】特開２００３−３７６０３６号公報
【発明の概要】
【発明が解決しようとする課題】
【０００６】
カメラ画像配信サービスにおいて、監視カメラで監視するモニター画像（映像）を、閲覧者に安定的に高品質なリアルタイム画像を供給する必要があるため、画像を端末に配信する装置には高い画像配信性能が求められている。画像配信装置から閲覧する端末に対して、画像配信の停止や、画像配信の遅れのない高い画像配信性能を確保するためには、画像を配信するサーバとしての装置の設備を増強したり、契約者数といった閲覧者の閲覧状況を的確に把握する必要があるが、従来技術ではカメラ画像配信サービス閲覧者の直近の閲覧環境に素早く対応して、画像配信装置における画像配信の量を調整することはできないといった問題がある。
【０００７】
本願発明は、カメラ画像配信サービス加入者の閲覧環境に応じて画像配信装置の負荷を低減させ、監視カメラが撮影した画像を加入者端末に表示できる仕組みを提供することを目的とする。
【課題を解決するための手段】
【０００８】
本願発明は、無線端末および撮像装置に通信可能に接続され、前記撮像装置が撮影する画像を前記無線端末に配信する画像配信装置であって、前記撮像装置が設置されている拠点のアドレスである拠点データを記憶する拠点データ記憶手段と、前記無線端末から、前記撮像装置が撮影する画像の配信を要求した拠点を特定できるアドレスを含んだ画像配信要求を受け付ける受付手段と、前記画像配信要求を受け付けた無線端末に、前記画像配信装置からの画像取得要求を受けた撮像装置から取得した画像を配信する画像配信手段と、前記受け付けた拠点を特定できるアドレスと、前記拠点データに記憶する拠点アドレスに従って、前記画像配信要求を受け付けた無線端末に前記画像配信装置からの画像取得要求を受けた撮像装置から取得した画像を配信するかいなかを判断する判断手段と、前記判断手段が前記画像を配信しないと判断した場合には、前記画像配信要求を受け付けた無線端末に、前記画像配信要求を受け付けた無線端末からの画像取得要求を受けた撮像装置から取得した画像の表示が可能な情報を送信する画像表示情報送信手段と、を備えることを特徴とする。
【０００９】
また、画像表示情報送信手段は前記表示が可能な情報を送信するとともに、前記画像配信要求を受け付けた無線端末に、前記表示が可能な情報に基づいて撮像装置から取得した画像を所定の位置に配置するフレームを送信するフレーム送信手段をさらに備えることを特徴とする。
【００１０】
また、複数の撮像装置と当該複数の撮像装置それぞれが設置されている拠点のアドレスを対応づけたグループデータを記憶するグループデータ記憶手段と、前記無線端末から、複数の撮像装置が撮影する複数画像の配信要求を受け付ける複数画像受付手段と、前記受付手段が受け付けた拠点を特定できるアドレスと、前記グループデータに記憶されている拠点アドレスに従って、前記複数画像の配信要求を受け付けた無線端末に配信する複数画像の中に、前記画像配信装置からの画像取得要求を受けた撮像装置から取得する画像があるかいなかを判断する複数拠点判断手段と、をさらに備え、前記画像表示情報送信手段はさらに、前記複数拠点判断手段により取得する画像があると判断した場合には、前記複数画像の配信要求を受け付けた無線端末に、前記複数画像の配信要求を受け付けた無線端末からの画像取得要求を受けた撮像装置から取得した画像の表示が可能な情報を送信することを特徴とする。
【００１１】
また、前記画像配信要求を受け付けた無線端末が受信する前記表示が可能な情報には、画像を直接取得するべく、前記画像取得要求をする撮像装置が設置されている拠点のアドレスが含まれていることを特徴とする。
【００１２】
また、前記画像配信要求を受け付けた無線端末が受信する前記表示が可能な情報には、画像を直接取得するべく、前記画像取得要求をする撮像装置のローカルＩＰアドレスが含まれていることを特徴とする。
【００１３】
また、前記前記撮像装置が撮影する画像の配信を要求した拠点を特定できるアドレスは、前記画像配信要求を前記画像配信装置に中継する場合に取得されるルータ装置のネットワークアドレスであることを特徴とする。
また、前記受付手段が受け付ける画像配信要求は画像を配信する撮像装置の特定情報をさらに含んでいることを特徴とする。
【発明の効果】
【００１４】
本願発明により、カメラ画像配信サービス加入者の閲覧環境に応じて画像配信装置の負荷を低減させ、監視カメラが撮影した画像を加入者端末に表示できる仕組みを提供することが可能となる。
【図面の簡単な説明】
【００１５】
【図１】画像配信システム全体のシステム構成を示す図である。
【図２】無線端末と画像配信装置のハードウエア構成を示す図である。
【図３】画像配信システムにおけるフローチャートの１例を示す図である。
【図４】画像配信システムにおけるフローチャートの１例を示す図である。
【図５】携帯電話が表示する画面の１例を示す図である。
【図６】ネットワークカメラのハードウエア構成を示す図である。
【図７】データベースの１例を示す図である。
【図８】画像配信システムにおけるフローチャートの１例を示す図である。
【図９】画像配信システムにおけるフローチャートの１例を示す図である。
【図１０】無線端末が表示する画面の１例を示す図である。
【図１１】無線端末が表示する画面の１例を示す図である。
【図１２】無線端末が表示する画面の１例を示す図である。
【図１３】無線端末が表示する画面の１例を示す図である。
【図１４】無線端末が表示する画面の１例を示す図である。
【図１５】データベースの１例を示す図である。
【図１６】無線端末が表示する画面の１例を示す図である。
【図１７】無線端末が表示する画面の１例を示す図である。
【発明を実施するための形態】
【００１６】
図１を説明する。
図１は、本願発明の画像配信システムのシステム構成図である。
【００１７】
１００は画像配信サーバ（画像配信装置）であり、無線端末（携帯電話）２００と通信可能に接続され、ネットワークカメラ（監視カメラ）２０１，２０６が撮影した画像を無線端末２００に配信する画像配信サービスのＷＥＢサイトである。さらにネットワークカメラ２０１が撮影し、画像配信サーバ１００に送信された画像を保存することもできる。画像配信サーバ１００は、通信回線（インターネット回線）３００を介してネットワークカメラ２０１、無線ＬＡＮアクセスポイント２０２、携帯電話網の基地局２０３と通信可能に接続されている。
【００１８】
２００は無線端末であり、無線端末のＷＥＢブラウザを介して、画像配信サーバ１００のＷＥＢコンテンツ（画像配信サービス）にアクセスすることができる。無線端末から画像配信サーバ１００のＷＥＢコンテンツ（画像配信サービス）にアクセスする通信方法としては、携帯電話網の基地局２０３を介して通信する３Ｇ回線を使用する方法や、無線ＬＡＮアクセスポイント２０２を介して通信するＷｉ−Ｆｉを使用する方法がある。尚、無線端末２００とは、スマートフォンや携帯電話であり、無線ＬＡＮアクセスポイント２０２と無線通信が可能な端末である。
【００１９】
２０１は撮像装置であり、設置された場所での画像を撮影するパンチルトカメラである。撮像装置は、通信回線（インターネット回線）３００を介して画像配信サーバ１００と通信可能に接続されている。尚、撮像装置２０１とは、監視カメラ、ネットワークカメラであり、画像配信装置と通信が可能な端末である。
２０２は無線ＬＡＮアクセスポイントである。無線端末２００とＷｉ−Ｆｉにて無線通信する。
【００２０】
２０３は携帯電話基地局である。無線端末２００と３Ｇ回線にて通信する。無線端末２００は、携帯電話基地局２０３を介して画像配信装置とインターネット通信（３Ｇ回線）が可能である。
【００２１】
２０４は中継装置であり、無線端末２００と画像配信装置１００とのネットワーク通信を中継するルータである。中継装置２０４はネットワークアドレスとして例えば「２００．５０．１．８０」を持っている。本願発明において拠点のネットワークアドレスとして使用される。
【００２２】
２０５は中継装置であり、撮像装置２０１と画像配信装置１００とのネットワーク通信を中継するルータである。中継装置２０５はネットワークアドレスとして例えば「２２０．１．５．６」を持っている。本願発明において拠点のネットワークアドレスとして使用される。
図２を説明する。
図２は画像配信サーバ１００及び無線端末２００のハードウエア構成を示す図である。
図２において、４０１はＣＰＵで、システムバス４０４に接続される各デバイスやコントローラを統括的に制御する。
【００２３】
ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２４】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
４０５は入力コントローラで、キーボード（ＫＢ）４０９や不図示のマウス等のポインティングデバイス等からの入力を制御する。
【００２５】
４０６はビデオコントローラで、表示部４１０への表示を制御する。なお、表示部４１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００２６】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００２７】
４０８は通信Ｉ／Ｆコントローラで、ネットワーク（通信回線）３００を介して外部機器と接続・通信するものであり、ネットワークでの通信制御処理を実行する。例えば、ＴＣＰ／ＩＰを用いた通信等が可能である。
【００２８】
なお、ＣＰＵ４０１は、例えばＲＡＭ４０３内の表示情報用領域へアウトラインフォントの展開（ラスタライズ）処理を実行することにより、ＣＲＴ上での表示を可能としている。また、ＣＰＵ４０１は、ＣＲＴ上の不図示のマウスカーソル等でのユーザ指示を可能とする。
【００２９】
本発明を実現するための後述する各種プログラムは、外部メモリ４１１に記録されており、必要に応じてＲＡＭ４０３にロードされることによりＣＰＵ４０１によって実行されるものである。さらに、上記プログラムの実行時に用いられるデータファイル及びデータテーブル等も、外部メモリ４１１に格納されており、これらについての詳細な説明も後述する。
図３を説明する。
【００３０】
ステップＳ１０１では、まず、無線端末２００のＷＥＢブラウザを起動し、本願発明のＷＥＢコンテンツ（画像配信サービス）にアクセスする。その後、ユーザログイン要求（ログイン情報）を画像配信装置１００に送信する。
【００３１】
撮像装置２０１が撮影するリアルタイム画像（映像）を無線端末２００で閲覧（モニター）するために、無線端末２００は、撮像装置が撮影する画像の配信要求を画像配信装置１００に送信する。
【００３２】
ログインユーザが閲覧したいユーザ所望の撮像装置を特定するために、ここで無線端末２００は撮像装置を特定する情報（カメラＩＤ）を画像配信要求と共に送信する。
なお、ここで送信する撮像装置を特定する情報（カメラＩＤ）は、複数画像の配信要求をするために、複数送信してもよい。
【００３３】
この配信要求の時に、無線端末の拠点ネットワークアドレスとして、配信要求が中継装置２０４を経由する時に、中継装置２０４から自動で取得された中継装置２０４のネットワークアドレスが画像配信装置１００に更に送信される。つまり無線端末の拠点ネットワークアドレスとして、中継装置２０４を特定可能なネットワークアドレス「２００．５０．１．８０」が画像配信装置１００に送信される。
【００３４】
ステップＳ１０２では、画像配信装置１００は、無線端末２００から、撮像装置を特定する情報（カメラＩＤ）および無線端末２００の拠点ネットワークアドレス「２００．５０．１．８０」を含む撮像装置が撮影する画像の配信要求を受け付ける。
ステップＳ１０３では、画像配信装置１００は、カメラＩＤにより特定された撮像装置の拠点ネットワークアドレスを取得する（アドレス取得手段）。
【００３５】
取得方法の一例として、アドレス取得手段は、外部メモリ４１１が記憶するアドレス記憶手段（ネットワークカメラ情報データ）を参照し、カメラＩＤ（例えばＡ０１）により特定された撮像装置の拠点ネットワークアドレス（例えば「２００．５０．１．８０」）を取得する。
例えば「２００．５０．１．８０」は勝どき支店に設置された監視カメラの通信を中継する中継装置のネットワークアドレスである。
【００３６】
取得方法の一例として、アドレス取得手段は、カメラＩＤ（例えばＡ０１）により特定された撮像装置の拠点ネットワークアドレス（例えば「２００．５０．１．８０」）を、中継装置２０４を参照し取得する。
【００３７】
更に、ステップＳ１０２で受け付けた配信要求に含まれる撮像装置を特定する情報から、特定された撮像装置のローカルＩＰを取得する（ローカルＩＰ取得手段）。
【００３８】
取得方法の一例として、ローカルＩＰ取得手段は、外部メモリ４１１が記憶するローカルＩＰ記憶手段（ネットワークカメラ情報データ）を参照し、カメラＩＤ（例えばＡ０１）により特定された撮像装置のローカルＩＰ（例えば「１９８．１６８．１．１０」）を取得する。
【００３９】
取得方法の一例として、ローカルＩＰ取得手段は、カメラＩＤ（例えばＡ０１）により特定された撮像装置のローカルＩＰ（例えば「１９８．１６８．１．１」）を、撮像装置２０１を参照し取得する。
【００４０】
ステップＳ１０４では、画像配信装置１００は、ステップＳ１０２で受け付けた拠点ネットワークアドレス（例えば「２００．５０．１．８０」）とステップＳ１０３で取得した拠点ネットワークアドレス（例えば「２００．５０．１．８０」）に従って、配信要求を受け付けた無線端末と無線端末に画像を配信する撮像装置とが同一拠点のネットワーク配下であるかを判定するために、配信要求を受け付けた無線端末に、画像配信装置１００を介して撮像装置が撮影する画像を配信するかいなかを判断する（画像配信判断手段）。
【００４１】
画像配信判断手段はステップＳ１０２で複数（２個以上）の撮像装置を特定する情報（カメラＩＤ）を受け付けた場合は、特定する情報（カメラＩＤ）の数を判断し、特定する情報（カメラＩＤ）毎に判定して、その後（ステップＳ１０３以降）の処理を分けてもよい。複数の場合、フレーム情報の画像を表示する枠や、撮像装置から送信される画像の数も複数になることは言うまでもない。
【００４２】
ここで、ステップＳ１０２で受け付けた無線端末の拠点ネットワークアドレスは、配信要求を画像配信装置に中継する、画像配信装置と通信可能に接続された第１の中継装置２０４のネットワークアドレス（例えば「２００．５０．１．８０」）である。
【００４３】
ここで、ステップＳ１０３で取得された撮像装置の拠点ネットワークアドレスは、撮像装置が撮影する画像を画像配信装置に中継する、画像配信装置と通信可能に接続された第２の中継装置２０５のネットワークアドレス（例えば「２００．５０．１．８０」）である。
【００４４】
つまり、ネットワーク判定手段は、第１の中継装置のネットワークアドレスと、第２の中継装置のネットワークアドレスとが一致するかいなかに従って、配信要求を受け付けた無線端末と無線端末に画像を配信する撮像装置とが同一拠点のネットワーク配下であるかを判定する。
ここで、同一の拠点ネットワーク配下である（ネットワークアドレスが一致する）と判定した場合にはステップＳ１０５に進む。
ここで、同一の拠点ネットワーク配下ではない（ネットワークアドレスが一致しない）と判定した場合にはＡに進む。
【００４５】
ステップＳ１０５では、画像配信装置１００は、撮像装置が撮影する画像を、無線端末に画像を配信する撮像装置から画像配信装置を介さずに取得した画像を表示可能なフレーム情報（ＷＥＢ画面）５０３を、配信要求を受け付けた無線端末に送信する（フレーム情報送信手段）。
ここで、フレーム情報は、配信要求を受け付けた無線端末と、撮影した画像を配信する撮像装置とを接続するセッション情報（接続要求）を含んでいる。
フレーム情報とは撮影画像が含まれない、撮影画像を配置する枠がある、撮影画像が空の状態のＷＥＢ画面情報である。
【００４６】
更に、ステップＳ１０３で取得した撮像装置２０１のローカルＩＰ（例えば「１９８．１６８．１．１」）をセッション情報として無線端末２００に送信する（ローカルＩＰ送信手段）。これにより無線端末２００に対して、接続要求の送信先である撮像装置２０１のローカルＩＰ（例えば「１９２．１６８．１．１」）を通知することができる。
【００４７】
ステップＳ１０６では、無線端末２００は、撮像装置２０１のローカルＩＰが書かれたセッション情報を含んだフレーム情報を画像配信装置１００から受信する。
【００４８】
ステップＳ１０７では、無線端末２００は、撮像装置２０１から画像配信装置を介さずに画像を直接取得するために、ステップＳ１０６で受信したセッション情報（例えば「１９８．１６８．１．１」）に従って、接続要求（画像配信要求）を撮像装置２０１に送信する。
【００４９】
無線端末２００は、接続要求（画像配信要求）を送信する前に、ステップＳ１０６で受信した撮像装置２０１の固有のローカルＩＰ（例えば「１９８．１６８．１．１」）だけでなく、無線端末２００自身の固有のローカルＩＰ（例えば「１９２．１６８．１．１０」）を自動で取得し、接続要求に含めるセッション情報に追加する。これにより撮像装置２０１に対して、画像配信の送信先である無線端末２００のローカルＩＰ（例えば「１９２．１６８．１．１０」）を通知することができる。
【００５０】
ステップＳ１０８では、撮像装置２０１は、無線端末２００から接続要求（画像配信要求）を受信し、撮像装置２０１のローカルＩＰ（例えば「１９８．１６８．１．１」）と無線端末２００自身のローカルＩＰ（例えば「１９２．１６８．１．１０」）を利用して、無線端末２００とのセッションを確立する。
【００５１】
ステップＳ１０９では、撮像装置２０１は、画像配信装置１００を介さず、中継装置２０５（例えばネットワークアドレス「２００．５０．１．８０」）及び無線ＬＡＮアクセスポイント２０２を介して無線端末２００に撮像装置２０１が撮影した画像５０２を送信する。
ステップＳ１１０では、無線端末２００は、撮像装置２０１が撮影し、配信した画像５０２を受信する。
ステップＳ１１１では、無線端末２００は、撮影画像が空の状態のフレーム情報５０３にステップＳ１１０で受信した画像５０２をはめ込む（合成する）。
ステップＳ１１２では、無線端末２００は、画面（図５）を表示部に無線端末２００のＷＥＢブラウザが表示する。
図４を説明する。
ステップＳ２０１では、画像配信装置１００は、ステップＳ１０２でカメラＩＤに特定された撮像装置２０１に画像配信要求を送信する。
ステップＳ２０２では、撮像装置２０１は、画像配信装置１００から画像配信要求を受信する。
【００５２】
ステップＳ２０３では、撮像装置２０１は、中継装置２０５（例えばネットワークアドレス「２２０．１．５．６」）を介して画像配信装置１００に撮像装置２０１が撮影した画像５０２を送信（配信）する。
例えば「２２２．１．５．６」は浜松町本社に設置された監視カメラの通信を中継する中継装置のネットワークアドレスである。
ステップＳ２０４では、画像配信装置１００は、撮像装置２０１が撮影し、配信した画像５０２を受信する。
【００５３】
ステップＳ２０５では、画像配信装置１００は、撮影画像が空の状態のフレーム情報５０３にステップＳ２０４で受信した画像５０２をはめ込み（合成し）、画面（図５）を生成する。
ステップＳ２０６では、画像配信装置１００は、画面（図５）を、配信要求を送信した無線端末２００に送信（表示指示）する。
ステップＳ２０７では、無線端末２００は、画面（図５）を受信する。
ステップＳ２０８では、無線端末２００は、画面（図５）を表示部に無線端末２００のＷＥＢブラウザ（または画像配信専用アプリ画面）が表示する。
図５を説明する。
図５は本願発明の無線端末２００である。
５０１はＷＥＢブラウザを起動する操作ボタンである。
５０２は撮像装置２０１が撮影した監視画像（監視映像）であり、フレーム情報（ＷＥＢ画面）においては画像５０２をはめ込む枠である。
５０３は監視画像配信サービスのフレーム情報（ＷＥＢ画面）である。
図６を説明する。
図６は撮像装置２０１、２０６のハードウエア構成を示す図である。
図６において、６０１はＣＰＵで、システムバス６０４に接続される各デバイスやコントローラを統括的に制御する。
【００５４】
ＲＯＭ６０２あるいは外部メモリ６１１には、ＣＰＵ６０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００５５】
６０３はＲＡＭで、ＣＰＵ６０１の主メモリ、ワークエリア等として機能する。ＣＰＵ６０１は、処理の実行に際して必要なプログラム等をＲＯＭ６０２あるいは外部メモリ６１１からＲＡＭ６０３にロードして、該ロードしたプログラムを実行することで各種動作を実現するものである。
【００５６】
６０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ５１１へのアクセスを制御する。
【００５７】
６０８は通信Ｉ／Ｆコントローラで、ネットワーク（通信回線）３００を介して外部機器と接続・通信するものであり、ネットワークでの通信制御処理を実行する。例えば、ＴＣＰ／ＩＰを用いた通信等が可能である。
６１２はカメラ制御部であり、画像（映像）の撮影を制御する。
【００５８】
本発明を実現するための後述する各種プログラムは、外部メモリ６１１に記録されており、必要に応じてＲＡＭ６０３にロードされることによりＣＰＵ６０１によって実行されるものである。さらに、上記プログラムの実行時に用いられるデータファイル及びデータテーブル等も、外部メモリ６１１に格納されており、これらについての詳細な説明も後述する。
図７を説明する。
【００５９】
図７は、画像配信装置１００が記憶するデータベースであり、ネットワークカメラ情報データとして拠点ネットワークアドレス（ルータアドレス）別に管理するネットワークカメラを、ネットワークカメラ（カメラＩＤ）毎にローカルＩＰ（カメラＩＰ）を一意に対応づけて記憶し（ローカルＩＰ記憶手段）、拠点ネットワークアドレス（ルータアドレス）毎にネットワークカメラ（カメラＩＤ）を対応づけて記憶している（アドレス記憶手段）。
各撮像装置が設置されている拠点のアドレスを対応づけた拠点データである。画像配信装置１００が記憶する（拠点データ記憶手段）
図８を説明する。
【００６０】
Ｓ３０１でスマートフォン（無線端末）は、図１１の画面を表示している。ユーザの操作によりリアルタイム監視映像配信アプリケーションである監視アイコン１１０３が押下される。
【００６１】
図１１の１１０２は無線端末のデスクトップトップ画面であり、監視アイコン１１０３が押下されると無線端末は画像配信要求を画像配信装置１００に送信する。１１０１はＷｉ−Ｆｉ通信の電波受信感度を示しており、無線ＬＡＮアクセスポイント２０２に接続されている。
【００６２】
Ｓ３０２で無線端末は、無線アクセスポイントを介してスマートフォン（無線端末）から画面表示のＨＴＴＰリスエストをＷＥＢサーバ（画像配信装置）に送る。
【００６３】
このＨＴＴＰリスエストの送信毎に、無線アクセスポイントが接続されているルータの外側（インターネット側）のネットワークアドレスが含まれたＨＴＴＰリスエストを画像配信装置１００に送っている。
【００６４】
スマートフォンから３Ｇの回線を使用するＨＴＴＰリクエストの場合には、拠点毎のルータを経由しないためルータ（中継装置）のアドレスを取得できず拠点の判定ができない。よって無線アクセスポイントを経由してＷＥＢサーバに画面表示のリスエストを送っている場合に適用することができる。
【００６５】
画像配信要求とともに、ユーザＩＤとパスワードも送信され、自動ログインが完了する。図１０のような、ログイン画面にてユーザが予め、ユーザ情報を登録しておくことで、この自動ログインが可能となる。
また、ここでは図示しないグループデータ選択画面を表示し、ユーザ所望のグループデータ（図１５）をユーザにより選択させてもよい。
【００６６】
Ｓ３０３で画像配信装置１００は、無線端末から、撮像装置が撮影する画像の配信を要求した拠点を特定できるアドレスを含んだ画像配信要求を受け付ける（受付手段）。
なお。ここでは図１２のように複数の撮像装置が撮影する複数画像（映像）の配信要求を受け付けてもよい。
【００６７】
図１２の１２０１は無線端末が表示するリアルタイム映像配信画面である。１２０２は読み出したグループデータ名が表示されている。１２０３〜１２０６は６つの配置枠と配置枠に配置された画像（リアルタイム映像）であり、リアルタイム映像配信画面が表示されている間、所定の間隔で画像（リアルタイム映像）が更新される。１２０９は読み出したユーザ名が表示されている。１２１０は別の操作メニューに移行するボタンである。
画像配信要求には無線端末側から、画像を配信する撮像装置を特定するための情報（カメラＩＤ、ポート番号等）をさらに含んでいてもよい。
ログイン情報（ユーザＩＤ）でユーザを識別し、ユーザが登録しているグループデータを参照することが可能となる。
【００６８】
Ｓ３０４で画像配信装置１００は、画面内の映像を一覧表示（例えば６映像）する配置枠毎にそれぞれ、拠点ネットワークアドレス＋ポート番号（カメラの識別番号）が一覧表示グループとして予めユーザにより画像配信装置の中に設定登録されているので、ログインデータから該当するグループデータ（図１５）を読み出す。
【００６９】
Ｓ３０５で画像配信装置１００は、全ての配置枠（Ａ〜Ｆ）の拠点判定が完了したかを判定し、Ｓ３０６の以降の処理をループさせるステップである。完了した場合はＳ３１３に巣進む。
【００７０】
Ｓ３０６で画像配信装置１００は、受け取ったＨＴＴＰリスエストに記載されているルータの外側（インターネット側）のネットワークアドレスを解析しスマートフォンが今或る拠点（ルータの位置）が何処なのかを判断している。
【００７１】
画像配信装置１００は受け取ったルータの外側（インターネット側）のネットワークアドレスにより無線端末が今居る拠点（ルータの位置）が何処なのかが分かるので、スマホが今居る拠点と各配置枠それぞれに設定登録されている拠点ネットワークアドレスとを比較し、各配置枠ごとに拠点の一致判定をしている。
【００７２】
Ｓ３０６以降の処理では、無線端末が今居る拠点と一致する配置枠に対しては、ユーザにより予め設定されている拠点ネットワークアドレス＋ポート番号（カメラの番号）ではなく、映像の取得先としてカメラのローカルＩＰに変更した取得先情報を配置枠に埋め込む。サーバは拠点のネットワークアドレスがないのでここでは映像を取得できなくなる。このままで、無線端末のＷＥＢブラウザに送信すると、無線端末のＷＥＢブラウザが受け取った取得先情報に従って、無線端末のＷＥＢブラウザが対象のカメラに映像の配信リクエストを送り、無線端末のＷＥＢブラウザが今居る拠点のネットワークアドレス＋ポート番号カメラのローカルＩＰの情報から映像を取得する
【００７３】
尚この場合の映像の配置枠へのはめ込み合成処理は無線端末のブラウザ側で一覧表示画面を無線端末に送信された後に行っているので、映像は画像配信装置１００を介さずに直接無線端末に配信される。
【００７４】
一方無線端末が今居る拠点と一致しない配置枠に対しては、ユーザにより予め設定されているそれぞれ拠点のネットワークアドレス＋ポート番号（カメラのＩＤ）の情報を映像の取得先情報として配置枠に埋め込み、画像配信装置１００が対象のカメラに映像の配信リクエストを送り、画像配信装置１００が拠点のネットワークアドレス＋ポート番号（カメラの番号）の情報から映像を取得する。尚この場合の映像の配置枠へのはめ込み合成処理は画像配信装置１００側で一覧表示画面を無線端末に送信する前に行っているので、映像は画像配信装置１００を介して配信されることになる。
【００７５】
６つ全ての配置枠（Ａ〜Ｆ）それぞれに対して、受け付けた拠点を特定できるアドレスと、拠点データに記憶する拠点アドレスに従って、画像配信要求を受け付けた無線端末に画像配信装置からの画像取得要求を受けた撮像装置から取得した画像を配信するかいなかを判断する（判断手段）。
【００７６】
ここで、撮像装置が撮影する画像の配信を要求した拠点を特定できるアドレスとは、画像配信要求を画像配信装置１００に中継する場合に取得されるルータ装置の外側（ＷＡＮ側）のアドレスでもよく、拠点毎（会社毎）のネットワーク環境を分類できるなアドレスである．
また、この判断手段は画像配信要求を受け付けた無線端末に画像配信装置を介して撮像装置から取得した画像を配信するかいなかを判断してもよい。
【００７７】
さらにここでは、無線端末から複数の撮像装置が撮影する複数画像の配信要求を受け付けた場合には、無線端末に配信する複数画像の中に、画像配信装置からの画像取得要求を受けた撮像装置から取得する画像があるかいなかも判断している（複数拠点判断手段）。
Ｓ３０７で画像配信装置１００は、図１５から６つ全ての配置枠（Ａ〜Ｆ）それぞれ別に中継装置（ルータ）のアドレスを取得する。
Ｓ３０８で画像配信装置１００は、６つ全ての配置枠（Ａ〜Ｆ）それぞれ別に中継装置（ルータ）にリクエストを送信する。
Ｓ３０９で画像配信装置１００は、６つ全ての配置枠（Ａ〜Ｆ）それぞれ別に中継装置（ルータ）から映像を取得する。
Ｓ３１０で画像配信装置１００は、中継装置（ルータ）から取得した映像を６つ全ての配置枠（Ａ〜Ｆ）それぞれ別に配置する。
【００７８】
Ｓ３１１で画像配信装置１００は、受け付けた拠点を特定できるアドレスから６つ全ての配置枠（Ａ〜Ｆ）それぞれ別に中継装置（ルータ）のアドレスを取得する。
Ｓ３１２で画像配信装置１００は、６つ全ての配置枠（Ａ〜Ｆ）それぞれ別の表示が可能な情報（無線端末から要求されるリクエスト）を生成する。
Ｓ３１３で画像配信装置１００は以下のように振る舞う。
【００７９】
Ｓ３０６において画像を配信すると判断した枠に関しては、画像配信要求を受け付けた無線端末に、画像配信装置からの画像取得要求を受けた撮像装置から取得した画像を配信する（画像配信手段）。逆にＳ３０６において画像を配信しないと判断した枠に関しては、画像配信要求を受け付けた無線端末に、撮像装置から取得した画像は配信しない。
【００８０】
Ｓ３０６において画像を配信しないと判断した枠に関しては、画像配信要求を受け付けた無線端末に、画像配信要求を受け付けた無線端末からの画像取得要求を受けた撮像装置から取得した画像の表示が可能な情報（無線端末から要求されるリクエスト）を送信する（画像表示情報送信手段）。逆にＳ３０６において画像を配信すると判断した枠に関しては、画像配信要求を受け付けた無線端末に、画像配信要求を受け付けた無線端末からの画像取得要求を受けた撮像装置から取得するための画像の表示が可能な情報は送信しない。
【００８１】
表示が可能な情報（無線端末から要求されるリクエスト）には、画像を直接取得するために必要な、画像取得要求を送信する撮像装置が設置されている拠点を特定するためのアドレスが含まれている。
表示が可能な情報には、画像を直接取得するために必要な、画像の取得を要求する撮像装置自身を特定するためにローカルＩＰアドレスが含まれている。
【００８２】
画像表示情報送信手段は、複数拠点判断手段により取得する画像があると判断した場合にも無線端末に、無線端末からの画像取得要求を受けた撮像装置から取得した画像の表示が可能な情報を送信している。
【００８３】
または無線端末の画像配信専用アプリが、配信された画像を配置する配置枠（フレーム）をテンプレートとして無線端末に予め記憶している場合には、画像配信装置１００はＳ３１３の処理で、表示情報（無線端末から要求されるリクエスト）と画像のみを無線端末に送信すればよい。
【００８４】
Ｓ３１３ではさらに、画像配信装置１００が撮像装置から取得した画像や無線端末からの画像取得要求を受けた撮像装置から取得した画像の表示が可能な情報のみならず、表示が可能な情報に基づいて撮像装置から取得した画像を所定の位置に配置するためのフレーム枠（フレーム画面）を送信してもよい（フレーム送信手段）。
Ｓ３１４で無線端末は、Ｓ３１３で送信された全データを受信する。
【００８５】
Ｓ３１５で無線端末は、送信された全データの中に表示が可能な情報（無線端末から要求されるリクエスト）があるかいなかを判断する。ある場合（はい）はＳ３１６に進む。ない場合（いいえ）Ｓ３２１に進む。
Ｓ３１６で無線端末は、表示が可能な情報がある枠のみの処理である。中継装置（ルータ）のアドレスを取得する。
Ｓ３１７で無線端末は、６つ全ての配置枠（Ａ〜Ｆ）それぞれ別に中継装置（ルータ）にリクエストを送信する。
Ｓ３１８で無線端末は、６つ全ての配置枠（Ａ〜Ｆ）それぞれ別に中継装置（ルータ）から映像を取得する。
Ｓ３１９で無線端末は、中継装置（ルータ）から取得した映像を６つ全ての配置枠（Ａ〜Ｆ）それぞれ別に配置する。
【００８６】
Ｓ３２０で無線端末は、図１４の状態の画面を表示している。見た目は図１２であるが取得ルートが図１４のようになる。図１３と比べると、１４０１と１４０２のリアルタイム映像の取得（更新）速度や間隔が速くなる。
【００８７】
図１３、図１４、図１６、図１７は無線端末が表示するリアルタイム映像配信画面であり、各枠に配信されている各画像の取得ルートを便宜上表したものであり取得ルートは表示されないが、各画像毎に取得ルートを別途表示させても問題ない。
Ｓ３２１で無線端末は、図１３の状態の画面を表示している。見た目は図１２（または画像配信専用アプリ画面）であるが取得ルートが図１３のようになる。
図９を説明する。
【００８８】
Ｓ４０１で無線端末は、図１６の状態の画面を表示している。図１４の画面の変形例である。図１４と比較すると各枠に配置される画像（映像）のサイズが均一ではなくサイズが大きい主画像１６０２とサイズが小さい副画像１６０３が表示されている。  Ｓ４０２で無線端末では、副画像にある画像を拡大して主画像の位置に表示させるために、ユーザの操作により副画像１６０３が押下（タッチ）される。
【００８９】
Ｓ４０３で画像配信装置１００は、副画像１６０３の枠が押下されたかいなかを判断する。副画像１６０３の枠が押下された（はい）と判断した場合にはＳ４０３に進む。副画像１６０３の枠が押下されていない（いいえ）と判断した場合には現状が維持され、Ｓ４０１に戻る。
【００９０】
Ｓ４０４で画像配信装置１００は、副画像１６０３の枠が押下された（はい）と判断した場合には、副画像にある画像を拡大して主画像の位置（メイン枠）に表示させ、主画像にある画像を縮小して副画像の位置（サブ枠）に表示させるための制御を実行する。この時に配信する画像のＳ３０６の判断にて決定された、画像取得ルートがメイン枠とサブ枠にて異なっている場合には、メイン枠とサブ枠にそれぞれ決定された画像取得ルートをスワップする制御を行う。ここで画像取得ルートをスワップする制御を行うために、副画像１６０３の枠が押下された（はい）と判断した場合には、Ｓ３０５のステップに戻って、各配置枠に対する画像取得ルートの決定処理を再度行ってもよく、Ｓ３０５のステップ以降で決定された後の画像取得ルートのデータを画像配信装置１００が保持することで画像取得ルートをスワップする制御を行ってもよい。
【００９１】
Ｓ４０５で無線端末は、図１７の状態の画面を表示している。画像取得ルートをスワップする制御により、図１６と比べると端末が取得した主画像１７０１とサーバが取得した副画像１７０２の画像取得ルートがスワップしている。  図１５を説明する。
【００９２】
図１５は、複数の撮像装置と当該複数の撮像装置それぞれが設置されている拠点のアドレスを対応づけたグループデータである。画像配信装置１００が記憶している（グループデータ記憶手段）。
１５０１はリアルタイム映像配信画面にログイン可能なユーザを識別するためのユーザＩＤであり図１０の１００２、図１２の１２０９と対応する。
【００９３】
図１０の１００１はユーザ認証するためのログイン画面であり、ＧＯボタン１００４が押下されると無線端末はユーザＩＤとパスワード１００３を画像配信装置１００に送信する。
１５０２は複数カメラの撮影グループを識別するためのグループＩＤであり図１２の１２０２と対応する。
１５０３は６つの配置枠を分けるための番号であり、Ａ〜Ｆは図１２の１２０３〜１２０８にそれぞれ対応する。
１５０４は複数のカメラそれぞれが設置される場所（会社）を識別するための拠点ＩＤである。
１５０５は複数のカメラそれぞれが設置される拠点の中継装置のアドレスであり、Ｓ３０６で判断するために利用される。
１５０６は複数のカメラそれぞれが持つ固有のＩＤであり、カメラを特定する場合に利用される。
１５０７は複数のカメラそれぞれのローカルネットワークのＩＰアドレスであり、重複しているものもある。
【００９４】
１５０８は複数のカメラそれぞれが設置されている場所（環境）をさらに分類したものである。例えは、レジ、駐車場、玄関など類似するカテゴリ毎に分類され、他拠点間で同じカテゴリの映像を図１２のように一覧表示されるので、ユーザは他拠点間の状況を比較して閲覧することができる。
【００９５】
なお、複数のルータが同一の中に拠点にあるといったサブネット化された環境においては、同一拠点の中でルータが複数に分岐されてしまう場合も想定される。この場合実質的に同一拠点の中で無線端末とカメラが直接通信することは可能であるので、ＶＰＮのような仮想ローカル環境を構築することや、同一拠点の中の複数のルータをグループ化（複数ルータアドレスのグループデータを予め設定）することで無線端末から同一拠点のネットワーク中にある複数のルータを経由させてカメラ映像取得要求をカメラに送信することは可能である。
【００９６】
また、本願発明におけるプログラムは、図３、図４、図８、図９に示すフローチャートの処理方法をコンピュータが実行可能なプログラムであり、本願発明の記憶媒体は処理方法をコンピュータが実行可能なプログラムとして、外部メモリに記憶されている。  
【００９７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本願発明の目的が達成されることは言うまでもない。  
【００９８】
この場合、記録媒体から読み出されたプログラム自体が本願発明の新規な機能を実現することになり、そのプログラムを記憶した記録媒体は本発明を構成することになる。  
【００９９】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。  
【０１００】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。  
【０１０１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。  
【０１０２】
また、本願発明は、複数の機器から構成されるシステムに適用しても、１つの機器からなる装置に適用してもよい。また、本願発明は、システムあるいは装置にプログラムを供給することによって達成される場合にも適応できることは言うまでもない。この場合、本願発明を達成するためのプログラムを格納した記録媒体を該システムあるいは装置に読み出すことによって、そのシステムあるいは装置が、本願発明の効果を享受することが可能となる。  
【０１０３】
さらに、本願発明を達成するためのプログラムをネットワーク上のサーバ，データベース等から通信プログラムによりダウンロードして読み出すことによって、そのシステムあるいは装置が、本願発明の効果を享受することが可能となる。
なお、上述した各実施形態およびその変形例を組み合わせた構成も全て本願発明に含まれるものである。
【符号の説明】
【０１０４】
１００  画像配信サーバ（画像配信装置）
２００  スマートフォン（無線端末）
２０１  ネットワークカメラ（撮像装置）
４０１  ＣＰＵ
４０３  ＲＡＭ
２０２  無線ＬＡＮアクセスポイント
２０６  ネットワークカメラ（撮像装置）
【図１】
0005354070.tif 000002
【図２】
0005354070.tif 000003
【図３】
0005354070.tif 000004
【図４】
0005354070.tif 000005
【図５】
0005354070.tif 000006
【図６】
0005354070.tif 000007
【図７】
0005354070.tif 000008
【図８】
0005354070.tif 000009
【図９】
0005354070.tif 000010
【図１０】
0005354070.tif 000011
【図１１】
0005354070.tif 000012
【図１２】
0005354070.tif 000013
【図１３】
0005354070.tif 000014
【図１４】
0005354070.tif 000015
【図１５】
0005354070.tif 000016
【図１６】
0005354070.tif 000017
【図１７】
0005354070.tif 000018